(57)【要約】 【課題】  記録媒体に記録される所定の再生情報の代表部分を視聴することによって、操作者が視聴したい再生情報を探し出すことができ、再生情報の選択に有効な利便性の高い再生装置を提供することである。【解決手段】  再生装置１１には、各再生情報における代表部分を指定する指定情報を記録する指定情報記録手段が設けられており、再生制御手段によって、指定情報記録手段に記録される指定情報に基づいて、各再生情報における代表部分を抽出して再生するように、再生手段を制御することができる。これによって操作者は、再生情報の代表部分、換言すると、操作者が良く知っている部分を視聴することができ、各再生情報を明確に把握することができる。したがって操作者は、視聴したい再生情報を探し出すことができ、利便性の高い再生装置を実現することができる。【選択図】      図１
2006202437.tif 000002
【特許請求の範囲】
【請求項１】
複数の所定の再生情報が記録される記録媒体の再生情報を再生する再生手段と、
各再生情報における代表部分を指定する指定情報を記録する指定情報記録手段と、
指定情報記録手段に記録される指定情報に基づいて、各再生情報における代表部分を抽出して再生するように、再生手段を制御する再生制御手段とを含むことを特徴とする再生装置。
【請求項２】
前記指定情報記録手段は、代表部分が記録される記録媒体におけるアドレスを示すアドレス情報を、指定情報として記録することを特徴とする請求項１記載の再生装置。
【請求項３】
前記指定情報記録手段は、再生情報を最初から再生する場合に代表部分の予め定める点まで再生するのに要する時間を示す時間情報を、指定情報として記録することを特徴とする請求項１記載の再生装置。
【請求項４】
前記指定情報記録手段は、代表部分の始点を表す指定情報を記録し、
再生制御手段は、再生情報を、指定情報が表す始点から一定時間再生するように、再生手段を制御することを特徴とする請求項１〜３のいずれか１つに記載の再生装置。
【請求項５】
前記指定情報記録手段は、代表部分の始点および終点を表す指定情報を記録し、
再生制御手段は、再生情報を、指定情報が表す始点から終点まで再生するように、再生手段を制御することを特徴とする請求項１〜３のいずれか１つに記載の再生装置。
【発明の詳細な説明】
【技術分野】
【０００１】
本発明は、記録媒体に記録される所定の再生情報を再生する再生装置に関する。
【背景技術】
【０００２】
たとえばハードディスクドライブ（Hard Disk Drive；略称ＨＤＤ）オーディオプレイヤーとも呼ばれる再生装置は、記録媒体に記録される楽曲および映像である複数の再生情報を再生する装置である。記録媒体に記録される複数の楽曲の中から、操作者が聞きたい楽曲を探し出すための手段を備えた再生装置として、各楽曲の先頭から数秒ずつ順に再生するイントロ再生手段を備える。他の従来の技術の再生装置として、たとえば特許文献１に示される再生装置がある。この特許文献１の再生装置は、イントロ再生の開始位置を、各楽曲の先頭から予め設定される時間が経過した位置にそれぞれ変更し、前記開始位置から数秒ずつ順に再生するように構成されている。
【０００３】
【特許文献１】特開平２−１０１６９１号公報
【発明の開示】
【発明が解決しようとする課題】
【０００４】
記録媒体に記録される各楽曲の先頭から数秒ずつ順に再生するイントロ再生手段を備える再生装置では、楽曲の先頭から数秒間再生することができる構成にはなっているが、操作者が、記録媒体に記録される各楽曲がどのような楽曲かを認識することができる代表部分、換言すると、操作者が良く知っている部分を聞くことができる構成にはなっていない。したがって操作者が良く知っている楽曲でなければ、各楽曲を認識することができず、操作者が聞きたい楽曲を探し出すことができない。
【０００５】
また特許文献１に示される再生装置では、楽曲の先頭から予め設定される時間が経過した位置から数秒間再生することができる構成にはなっているが、前述したイントロ再生手段を備える再生装置と同様に、操作者が、記録媒体に記録される各楽曲がどのような楽曲かを認識することができる代表部分、換言すると、操作者がよく知っている部分を聞くことができる構成にはなっていないので、同様の課題を有す。
【０００６】
本発明の目的は、操作者が、記録媒体に記録される所定の再生情報の代表部分、換言すると、操作者が良く知っている部分を視聴することによって、操作者が視聴したい再生情報を探し出すことができ、再生情報の選択に有効な利便性の高い再生装置を提供することである。
【課題を解決するための手段】
【０００７】
本発明は、複数の所定の再生情報が記録される記録媒体の再生情報を再生する再生手段と、
各再生情報における代表部分を指定する指定情報を記録する指定情報記録手段と、
指定情報記録手段に記録される指定情報に基づいて、各再生情報における代表部分を抽出して再生するように、再生手段を制御する再生制御手段とを含むことを特徴とする再生装置である。
【０００８】
本発明に従えば、再生装置では、複数の所定の再生情報が記録される記録媒体から、再生手段によって再生情報を読出して再生することができる。再生装置には、各再生情報における代表部分を指定する指定情報を記録する指定情報記録手段が設けられており、再生制御手段によって、指定情報記録手段に記録される指定情報に基づいて、各再生情報における代表部分を順次的にまたはランダムに抽出して再生するように、再生手段を制御することができる。これによって記録媒体に記録される複数の再生情報の代表部分を順次的にまたはランダムに抽出して再生することができるので、操作者は、再生情報の代表部分、換言すると、操作者が良く知っている部分を視聴することができ、各再生情報を明確に把握することができる。したがって操作者は、視聴したい再生情報を探し出すことができ、利便性の高い再生装置を実現することができる。
【０００９】
また本発明は、前記指定情報記録手段は、代表部分が記録される記録媒体におけるアドレスを示すアドレス情報を、指定情報として記録することを特徴とする。
【００１０】
本発明に従えば、指定情報記録手段によって再生情報における代表部分を表す指定情報を、記録媒体におけるアドレスを示すアドレス情報として記録させることができる。したがって代表部分が、記録媒体上の絶対位置として記録されるので、代表部分を表す指定情報が表す位置を迅速に検索することができる。
【００１１】
また本発明は、前記指定情報記録手段は、再生情報を最初から再生する場合に代表部分の予め定める点まで再生するのに要する時間を示す時間情報を、指定情報として記録することを特徴とする。
【００１２】
本発明に従えば、指定情報記録手段によって、再生情報における代表部分を表す指定情報を、再生情報を最初から再生する場合に代表部分の予め定める点まで再生するのに要する時間を示す時間情報として記録させることができる。したがって記録媒体の最適化処理の実行などによって再生情報が記録されている記録媒体上の物理的位置が変更になった場合も、それに応じて再生情報における代表部分を表す指定情報を再構築する必要がない。
【００１３】
また本発明は、前記指定情報記録手段は、代表部分の始点を表す指定情報を記録し、
再生制御手段は、再生情報を、指定情報が表す始点から一定時間再生するように、再生手段を制御することを特徴とする。
【００１４】
本発明に従えば、指定情報記録手段に代表部分の始点を表す指定情報が記録されており、代表部分の始点を表す指定情報に基づいて、再生制御手段によって、指定情報が表す始点から一定時間、各再生情報の代表部分を再生するように再生手段を制御することができる。これによって、代表部分の始点から一定時間、複数の再生情報の代表部分を順次的にまたはランダムに抽出して再生することができるので、操作者は、各再生情報の代表部分、換言すると、操作者が良く知っている部分を視聴することができ、各再生情報を明確に把握することができる。したがって操作者は、視聴したい再生情報を探し出すことができ、利便性の高い再生装置を実現することができる。
【００１５】
また本発明は、前記指定情報記録手段は、代表部分の始点および終点を表す指定情報を記録し、
再生制御手段は、再生情報を、指定情報が表す始点から終点まで再生するように、再生手段を制御することを特徴とする。
【００１６】
本発明に従えば、指定情報記録手段に代表部分の始点および終点を表す指定情報が記録されており、代表部分の始点および終点を表す指定情報に基づいて、再生制御手段によって、指定情報が表す始点から終点まで、各再生情報の代表部分を再生するように再生手段を制御することができる。これによって代表部分の始点から終点まで、複数の再生情報の代表部分を順次的にまたはランダムに抽出して再生することができるので、操作者は、各再生情報の代表部分、換言すると、操作者が良く知っている部分を視聴することができ、各再生情報を明確に把握することができる。したがって操作者は、視聴したい再生情報を探し出すことができ、利便性の高い再生装置を実現することができる。
【発明の効果】
【００１７】
本発明によれば、再生装置には、各再生情報における代表部分を指定する指定情報を記録する指定情報記録手段が設けられており、再生制御手段によって、指定情報記録手段に記録される指定情報に基づいて、各再生情報における代表部分を順次的にまたはランダムに抽出して再生するように、再生手段を制御することができる。これによって記録媒体に記録される複数の再生情報の代表部分を順次的にまたはランダムに抽出して再生することができるので、操作者が良く知っている部分を視聴することができ、各再生情報を明確に把握することができる。したがって操作者は、視聴したい再生情報を探し出すことができ、利便性の高い再生装置を実現することができる。
【００１８】
また本発明によれば、指定情報記録手段によって再生情報における代表部分を表す指定情報を、記録媒体におけるアドレスを示すアドレス情報として記録させることができる。したがって代表部分が、記録媒体上の絶対位置として記録されるので、代表部分を表す指定情報が表す位置を迅速に検索することができ、利便性の高い再生装置を実現することができる。
【００１９】
また本発明によれば、指定情報記録手段によって、再生情報における代表部分を表す指定情報を、再生情報を最初から再生する場合に代表部分の予め定める点まで再生するのに要する時間を示す時間情報として記録させることができる。したがって記録媒体の最適化処理の実行などによって再生情報が記録されている記録媒体上の物理的位置が変更になった場合も、それに応じて再生情報における代表部分を表す指定情報を再構築する必要がないので、利便性の高い再生装置を実現することができる。
【００２０】
また本発明によれば、指定情報記録手段に記録される代表部分の始点を表す指定情報に基づいて、再生制御手段によって、指定情報が表す始点から一定時間、各再生情報の代表部分を再生するように再生手段を制御することができる。これによって、代表部分の始点から一定時間、複数の再生情報の代表部分を順次的にまたはランダムに抽出して再生することができるので、操作者が良く知っている部分を視聴することができ、各再生情報を明確に把握することができる。したがって操作者は、視聴したい再生情報を探し出すことができ、利便性の高い再生装置を実現することができる。
【００２１】
また本発明によれば、指定情報記録手段に記録される代表部分の始点および終点を表す指定情報に基づいて、再生制御手段によって、指定情報が表す始点から終点まで、各再生情報の代表部分を再生するように再生手段を制御することができる。これによって代表部分の始点から終点まで、複数の再生情報の代表部分を順次的にまたはランダムに抽出して再生することができるので、操作者が良く知っている部分を視聴することができ、各再生情報を明確に把握することができる。したがって操作者は、視聴したい再生情報を探し出すことができ、利便性の高い再生装置を実現することができる。
【発明を実施するための最良の形態】
【００２２】
図１は、本発明の実施の一形態である再生装置１１を示すブロック図である。再生装置１１は、読出／書込部１と、記録媒体制御部２と、インターフェース３と、接続部４と、本体制御部５と、操作部６と、復号部７と、記録部８と、Ｄ／Ａ変換部９と、出力部１０とを有する。
【００２３】
読出／書込部１は、たとえばハードディスクドライブ（Hard Disk Drive；略称ＨＤＤ）によって実現される。読出／書込部１は、記録媒体であるハードディスクが内蔵されており、記録媒体制御部２の制御に基づいて、記録媒体制御部２から受取る情報をハードディスクに記録する。ハードディスクには、再生される複数の所定の再生情報と、この再生情報を個別的に識別するための識別情報とが対応して記録される。たとえば所定の再生情報は、楽曲および映像などの視聴情報を含み、識別情報は、トラックナンバとも呼ばれる識別番号、各再生情報における代表部分を指定する指定情報ならびに再生情報を把握するのに役立つ再生情報の題名、作者名および歌手名である情報を含む。本実施の形態では、所定の再生情報は、楽曲を表す楽曲情報である。記録媒体制御部２は、ＩＤＥコントローラなどによって実現され、読出／書込部１を制御する。具体的には、インターフェース３から受取る情報を、読出／書込部１に内蔵されるハードディスクに記録するように読出／書込部１を制御する。また本体制御部５から指示される情報に基づいて、ハードディスクに記録される情報をハードディスクから読出し、復号部７にその情報を与える。インターフェース３は、ＵＳＢコントローラなどによって実現され、周辺機器、たとえばパーソナルコンピュータと再生装置１１とのインターフェースであり、周辺機器から受取る情報、たとえばＭＰ３（MPEG1 Audio Layer III）などの楽曲情報などを記録媒体制御部２に与える。操作部６は、操作者によって操作可能な操作キーを有し、操作キーが操作されて入力される情報を、本体制御部５に与える。接続部４は、周辺機器と再生装置１１との接続部分であり、ＵＳＢケーブルなどが接続される。
【００２４】
指定情報記録手段である記録部８は、たとえば半導体メモリなどによって実現され、本体制御部５によって読出し可能に情報を記録する。本実施の形態では、記録部８には、楽曲情報の指定情報が記録され、また楽曲情報を再生するときに復号部７に送られてきた楽曲情報が、一時的に記録される。
【００２５】
再生制御手段である本体制御部５は、記録媒体制御部２と、インターフェース３と、操作部６と、復号部７と、記録部８とを制御する手段であり、たとえば中央演算処理ユニット（ＣＰＵ）によって実現される。本実施の形態では、本体制御部５は、マイクロコンピュータによって実現される。本体制御部５は、操作部６が操作されて入力される情報に基づいて、楽曲情報および記録部８に記録されている指定情報をハードディスクに記録させるように記録媒体制御部２を制御し、符号化されている楽曲情報を復号化するように復号部７を制御する。さらに具体的には、連結部４を介して、インターフェース３によって受けとられる楽曲情報をハードディスクに記録するように、記録媒体制御部２を制御する。また操作部６が操作されて、楽曲情報における代表部分を指定する情報が入力されると、その情報に基づいて、記録部８に代表部分を指定する指定情報を記録するように記録部８を制御し、記録部８に記録される指定情報を、記録媒体に記録するように記録媒体制御部２を制御する。さらに操作部６が操作されて、指定情報に基づく代表部分を再生する指示を表す情報が入力されると、入力される情報に基づいて、ハードディスクに記録される各楽曲情報の代表部分を再生するように記録媒体制御部２および復号部７を制御する。
【００２６】
復号部７は、デコーダ回路などによって実現され、符号化されている楽曲情報を復号化する。Ｄ／Ａ変換部９は、復号化された楽曲情報をアナログ信号に変換する。出力部１０は、アナログ信号に変換された楽曲情報を出力し、スピーカまたはヘッドフォンなどが接続される。具体的には、復号部７は、本体制御部５の制御に基づいて、記録媒体制御部２から受取る楽曲情報を記録部８に一時的に記録させ、記録部８から各楽曲情報を順次読出し、符号化されている楽曲情報を復号化し、Ｄ／Ａ変換部９に送る。Ｄ／Ａ変換部９は、復号部７によって復号化される楽曲情報を、復号部７から受取り、アナログ信号に変換し、出力部１０に与える。出力部１０を介して楽曲情報が出力され、再生される。
【００２７】
図２は、記録媒体であるハードディスクに記録される各楽曲情報における代表部分を、指定情報が表す始点から一定時間再生するように制御する再生制御手段である本体制御部５の動作を示すフローチャートである。表１は、図２において、指定情報が表す始点が、記録媒体におけるアドレスを示すアドレス情報として記録部８に記録される記録情報を示す表である。表２は、図２において、指定情報が表す始点が、時間情報として記録部８に記録される記録情報を示す表である。
【００２８】
【表１】
2006202437.tif 000003
【００２９】
【表２】
2006202437.tif 000004
【００３０】
ハードディスクに記録される各楽曲情報における代表部分を、指定情報が表す始点から一定時間再生するように制御する本体制御部５の動作は、操作者によって操作部６が操作され、各楽曲情報における代表部分を視聴するために、指定情報が表す始点から一定時間再生する指示を表す情報が入力された状態で開始される。まずステップｓ１では、本体制御部５が、ハードディスクに記録されている各楽曲情報の指定情報を記録部８に記録させる。具体的には、ステップｓ０で、操作者によって操作部６が操作され、指定情報が表す始点から一定時間再生する指示を表す情報が入力されると、本体制御部５は、その情報に基づいて、ハードディスクに記録される各楽曲情報の指定情報を、ハードディスクから読出すように記録媒体制御部２に制御指示を与える。記録媒体制御部２によってハードディスクから指定情報が読出されると、その記録媒体制御部２によって読出された指定情報を、本体制御部５が受取り、さらに記録部８に与えて記録させる。記録部８に記録される指定情報が表す始点は、表１に示されるアドレス情報として記録されても良いし、表２に示される時間情報として記録されても良い。本実施の形態では、表１に示される指定情報が表す始点は、アドレス情報として８バイト１６進数で記録されている。また表２に示される指定情報が表す始点は、１００分の１秒まで記録されている。記録部８に、各楽曲情報の指定情報が記録されると、ステップｓ２に進む。
【００３１】
ステップｓ２では、本体制御部５が、記録部８に記録される指定情報に基づいて、楽曲情報の指定情報が表す始点を検索する、換言すると、サーチするように記録媒体制御部２を制御する。具体的には、本体制御部５は、記録部８に記録される指定情報の中から、最初の楽曲情報の指定情報を読出し、その指定情報が表す始点を読出／書込部１で検索するように、記録媒体制御部２に制御指示を与える。ここで最初の楽曲情報の指定情報とは、記録部８に記録される指定情報の中から、識別番号の値が１番小さい識別番号に対応する楽曲情報の指定情報を示す。その制御指示に基づいて、記録媒体制御部２によって、最初の楽曲情報の指定情報が表す始点が読出／書込部１で検索される。指定情報が表す始点が検索されると、ステップｓ３に進む。ステップｓ３では、本体制御部５が、ステップｓ２で検索された始点から楽曲情報を再生するように復号部７を制御する。具体的には、本体制御部５は、ステップｓ２で検索された始点から楽曲情報を読出すように記録媒体制御部２に制御指示を与える。その制御指示に基づいて、記録媒体制御部２によって、ステップｓ２で検索された始点から楽曲情報がハードディスクから読出され、復号部７に送られる。復号部７に送られた楽曲情報は、一時的に記録部８に記録される。記録部８に一時的に記録された楽曲情報は、復号部７によって順次記録部８から読出され、復号化される。復号化される楽曲情報は、Ｄ／Ａ変換部９に与えられ、Ｄ／Ａ変換部９によってアナログ信号に変換され、出力部１０を介して、指定情報が表す始点から楽曲情報が再生される。指定情報が表す始点から、指定情報が再生されるとステップｓ４に進む。
【００３２】
ステップｓ４では、本体制御部５が、一定時間が経過したか否かを判定する。この判定は、再生されている楽曲情報が、ステップｓ３で指定情報が表す始点から再生され、一定時間が経過したか否かの判定によって達成される。ここで一定時間は、操作者によって任意に設定されても良いし、再生装置１１に予め設定されていても良い。本体制御部５が、一定時間が経過したと判定するまでステップｓ４の動作を繰返し実行し、一定時間が経過したと判定すると、本体制御部５は、再生されている楽曲情報の再生を停止するように復号部７を制御し、復号部７によって楽曲情報の復号化の動作が停止されると楽曲情報の再生が停止され、ステップｓ５に進む。ステップｓ５では、本体制御部５が、記録部８に記録される指定情報に、次の楽曲情報の指定情報が有るか否かを判定する。ここで次の楽曲情報の指定情報とは、記録部８に記録される指定情報の中で、ステップｓ３で再生された楽曲情報に対応する識別番号の次に小さい識別番号に対応する楽曲情報の指定情報を示す。本体制御部５が、次の楽曲情報の指定情報があると判定すれば、ステップｓ６に進む。次の楽曲情報の指定情報がないと判定すれば、ステップｓ９に進む。
【００３３】
ステップｓ６では、本体制御部５が、ステップｓ５で判定された次の楽曲情報の指定情報が表す始点を検索するように記録媒体制御部２を制御する。具体的には、本体制御部５は、記録部８からステップｓ５で判定された次の楽曲情報の指定情報を読出し、その指定情報が表す始点を読出／書込部１で検索するように、記録媒体制御部２に制御指示を与える。その制御指示に基づいて、記録媒体制御部２によって、指定情報が表す始点が読出／書込部１で検索される。次の楽曲情報の指定情報を表す始点が検索されると、ステップｓ７に進む。ステップｓ７では、本体制御部５が、ステップｓ６で検索された始点から楽曲情報を再生するように復号部７を制御する。具体的には、本体制御部５は、ステップｓ６で検索された始点から楽曲情報を読出すように記録媒体制御部２に制御指示を与える。その制御指示に基づいて、記録媒体制御部２によって、ステップｓ６で検索された始点から楽曲情報がハードディスクから読出され、復号部７に送られる。復号部７に送られた楽曲情報は、一時的に記録部８に記録される。記録部８に一時的に記録された楽曲情報は、復号部７によって順次記録部８から読出され、復号化される。復号化される楽曲情報は、Ｄ／Ａ変換部９に与えられ、Ｄ／Ａ変換部９によってアナログ信号に変換され、出力部１０を介して、指定情報が表す始点から楽曲情報が再生される。指定情報が表す始点から、楽曲情報が再生されるとステップｓ８に進む。
【００３４】
ステップｓ８では、本体制御部５が、一定時間が経過したか否かを判定する。この判定は、楽曲情報が、ステップｓ７で指定情報が表す始点から再生され、一定時間が経過したか否かの判定によって達成される。本体制御部５が、一定時間が経過したと判定するまでステップｓ８の動作を繰返し実行し、一定時間が経過したと判定すると、本体制御部５は、再生されている楽曲情報の再生を停止するように復号部７を制御し、復号部７によって楽曲情報の復号化の動作が停止されると楽曲情報の再生が停止され、ステップｓ５に進む。ステップｓ５では、本体制御部５が、記録部８に記録される指定情報に、次の楽曲情報の指定情報が有るか否かを判定する。ここで次の楽曲情報の指定情報とは、記録部８に記録される指定情報の中で、ステップｓ７で再生された楽曲情報に対応する識別番号の次に小さい識別番号に対応する楽曲情報の指定情報を示す。次の楽曲情報の指定情報がないと判定されるまで、本体制御部５は、ステップｓ５、ステップｓ６、ステップｓ７、ステップｓ８の動作を繰返し、ステップｓ５で、次の楽曲情報の指定情報がないと判定すると、ステップｓ９に進む。ステップｓ９では、本体制御部５は、記録媒体であるハードディスクに記録される各楽曲情報における代表部分を、指定情報が表す始点から一定時間再生する動作を停止し、ハードディスクに記録される各楽曲情報の代表部分を、指定情報が表す始点から一定時間再生する動作を終了する。
【００３５】
図３は、図２に示すフローチャートに基づいて、各楽曲情報における代表部分を、指定情報が表す始点から一定時間再生する動作を簡略化して示すタイムチャートである。本体制御部５によって、最初の楽曲情報、換言すると、トラックナンバとも呼ばれる識別番号の値が１に対応する楽曲情報の指定情報が表す始点が検索され、最初の楽曲情報が、指定情報が表す始点から一定時間再生される。最初の楽曲情報が始点から一定時間再生されると、次の楽曲情報、換言すると、識別番号の値が２に対応する楽曲情報の指定情報が表す始点が検索され、次の楽曲情報が、指定情報が表す始点から一定時間再生される。次の楽曲情報が存在するまで、この動作が繰返されることによって、楽曲情報における代表部分を順次的に抽出して、再生することができる。
【００３６】
図４は、代表部分の始点を表す指定情報を、記録媒体であるハードディスクに記録するように制御する再生制御手段である本体制御部５の動作を示すフローチャートである。代表部分の始点を表す指定情報を、ハードディスクに記録するように制御する本体制御部５の動作は、各楽曲情報が再生開始された状態で開始される。ステップａ１では、操作者によって操作部６が操作され、本体制御部５が、代表部分の始点を表す指定情報を記録する指示を表す情報が入力されたか否かを判定する。この判定は、代表部分の始点を表す指定情報として記録部８に記録させたい楽曲情報が再生された時に、操作者によって操作部６が操作され、本体制御部５によって、代表部分の始点を表す指定情報を記録する指示を表す情報が入力されたか否かが判定されることよって達成される。本体制御部５が、操作者によって操作部６が操作され、代表部分の始点を表す指定情報を記録する指示を表す情報が入力されたと判定するまで、ステップａ１の動作を繰返し実行し、操作者によって操作部６が操作され、代表部分の始点を表す指定情報を記録する指示を表す情報が入力されたと判定すると、ステップａ２に進む。ステップａ２では、本体制御部５が、操作部６が操作された時に再生されていた楽曲情報の位置情報を、代表部分の始点を表す指定情報として、記録部８に記録させる。具体的には、本体制御部５が、操作者によって操作部６が操作され、代表部分の始点を表す指定情報を取得する指示を表す情報が入力されたと判定すると、操作部６が操作された時に再生されていた楽曲情報の位置情報を、代表部分の始点を表す指定情報として記録部８に記録するように記録部８に制御指示を与える。その制御指示に基づいて、記録部８によって、操作部６が操作された時に再生されていた楽曲情報の位置情報が、代表部分の始点を表す指定情報として記録される。代表部分の始点を表す指定情報は、表１に示されるアドレス情報または表２に示される時間情報として、記録部８に記録される。記録部８に記録されると、ステップａ３に進む。ステップａ３では、本体制御部５が、記録部８に記録された代表部分の始点を表す指定情報を、ハードディスクに記録させる。具体的には、本体制御部５は、記録部８に記録された代表部分の始点を表す指定情報を読出し、ハードディスクに記録するように、記録媒体制御部２に制御指示を与える。その制御指示に基づいて、記録媒体制御部２によって、代表部分の始点を表す指定情報が、ハードディスクに記録される。既に各楽曲情報の代表部分の始点を表す指定情報がハードディスクに記録されている場合には、既に記録されている代表部分の始点を表す指定情報が、ステップａ２で記録部８に記録された代表部分の始点を表す指定情報に置換えられて、ハードディスクに記録される。代表部分の始点を表す指定情報が、ハードディスクに記録されると、代表部分の始点を表す指定情報を、ハードディスクに記録するように制御する本体制御部５の動作は終了する。
【００３７】
図５は、記録媒体であるハードディスクに記録される各楽曲情報における代表部分を、指定情報が表す始点から終点まで再生するように制御する再生制御手段である本体制御部５の動作を示すフローチャートである。表３は、図５において、指定情報が表す始点および終点が、記録媒体におけるアドレスを示すアドレス情報として記録部８に記録される記録情報を示す表である。表４は、図５において、指定情報が表す始点および終点が、時間情報として記録部８に記録される記録情報を示す表である。
【００３８】
【表３】
2006202437.tif 000005
【００３９】
【表４】
2006202437.tif 000006
【００４０】
ハードディスクに記録される各楽曲情報における代表部分を、指定情報が表す始点から終点まで再生するように制御する本体制御部５の動作は、操作者によって操作部６が操作され、各楽曲情報における代表部分を視聴するために、指定情報が表す始点から終点まで再生する指示を表す情報が入力された状態で開始される。まずステップｂ１では、本体制御部５が、ハードディスクに記録されている各楽曲情報の指定情報を記録部８に記録させる。具体的には、ステップｂ０で、操作者によって操作部６が操作され、指定情報が表す始点から終点まで再生する指示を表す情報が入力されると、本体制御部５は、その情報に基づいて、ハードディスクに記録される各楽曲情報の指定情報を、ハードディスクから読出すように記録媒体制御部２に制御指示を与える。記録媒体制御部２によってハードディスクから指定情報が読出されると、その記録媒体制御部によって読出された指定情報を、本体制御部５が受取り、さらに記録部８に与えて記録させる。記録部８に記録される指定情報が表す始点および終点は、表３に示されるアドレス情報として記録されても良いし、表４に示される時間情報として記録されても良い。本実施の形態では、表３に示される指定情報が表す始点は、アドレス情報として８バイト１６進数で記録されている。また表４に示される指定情報が表す始点は、１００分の１秒まで記録されている。記録部８に、各楽曲情報の指定情報が記録されると、ステップｂ２に進む。
【００４１】
ステップｂ２では、本体制御部５が、記録部８に記録される指定情報に基づいて、楽曲情報の指定情報が表す始点を検索するように記録媒体制御部２を制御する。具体的には、本体制御部５は、記録部８に記録される指定情報の中から、最初の楽曲情報の指定情報が表す始点および終点を読出し、その指定情報が表す始点を読出／書込部１で検索するように、記録媒体制御部２に制御指示を与える。ここで最初の楽曲情報の指定情報とは、記録部８に記録される指定情報の中で、識別番号の値が１番小さい識別番号に対応する楽曲情報の指定情報を示す。その制御指示に基づいて、記録媒体制御部２によって、最初の指定情報が表す始点が読出／書込部１で検索される。指定情報が表す始点が検索されると、ステップｂ３に進む。ステップｂ３では、本体制御部５が、ステップｂ２で検索された始点から楽曲情報を再生するように復号部７を制御する。具体的には、本体制御部５は、ステップｂ２で検索された始点から楽曲情報を読出すように記録媒体制御部２に制御指示を与える。その制御指示に基づいて、記録媒体制御部２によって、ステップｂ２で検索された始点から楽曲情報がハードディスクから読出され、復号部７に送られる。復号部７に送られた楽曲情報は、一時的に記録部８に記録される。記録部８に一時的に記録された楽曲情報は、復号部７によって順次記録部８から読出され、復号化される。復号化される楽曲情報は、Ｄ／Ａ変換部９に与えられ、Ｄ／Ａ変換部９によってアナログ信号に変換され、出力部１０を介して、指定情報が表す始点から楽曲情報が再生される。指定情報が表す始点から、指定情報が再生されるとステップｂ４に進む。
【００４２】
ステップｂ４では、本体制御部５が、再生されている楽曲情報の指定情報が表す終点まで再生されたか否かを判定する。この判定は、再生されている楽曲情報が、指定情報が表す終点まで再生されたか否かの判定によって達成される。本体制御部５が、指定定情報が表す終点まで再生されたと判定するまでステップｂ４の動作を繰返し実行し、指定情報が表す終点まで再生されたと判定されると、本体制御部５は、再生されている楽曲情報の再生を停止するように復号部７を制御し、復号部７によって楽曲情報の復号化の動作が停止されると楽曲情報の再生が停止され、ステップｂ５に進む。ステップｂ５では、本体制御部５が、記録部８に記録される指定情報に、次の楽曲情報の指定情報が有るか否かを判定する。ここで次の楽曲情報の指定情報とは、記録部８に記録される指定情報の中で、ステップｂ３で再生された楽曲情報に対応する識別番号の次に小さい識別番号に対応する楽曲情報の指定情報を示す。本体制御部５が、次の楽曲情報の指定情報があると判定すれば、ステップｂ６に進む。次の楽曲情報の指定情報がないと判定すれば、ステップｂ９に進む。
【００４３】
ステップｂ６では、本体制御部５が、ステップｂ５で判定された次の楽曲情報の指定情報が表す始点を検索するように記録媒体制御部２を制御する。具体的には、本体制御部５は、記録部８からステップｂ５で判定された次の楽曲情報の指定情報を読出し、その指定情報が表す始点を読出／書込部１で検索するように、記録媒体制御部２に制御指示を与える。その制御指示に基づいて、記録媒体制御部２によって、指定情報が表す始点が読出／書込部１で検索される。次の楽曲情報の指定情報を表す始点が検索されると、ステップｂ７に進む。ステップｂ７では、本体制御部５が、ステップｂ６で検索された始点から楽曲情報を再生するように復号部７を制御する。具体的には、本体制御部５は、ステップｂ６で検索された始点から楽曲情報を読出すように記録媒体制御部２に制御指示を与える。その制御指示に基づいて、記録媒体制御部２によって、ステップｂ６で検索された始点から楽曲情報がハードディスクから読出され、復号部７に送られる。復号部７に送られた楽曲情報は、一時的に記録部８に記録される。記録部８に一時的に記録された楽曲情報は、復号部７によって順次記録部８から読出され、復号化される。復号化される楽曲情報は、Ｄ／Ａ変換部９に与えられ、Ｄ／Ａ変換部９によってアナログ信号に変換され、出力部１０を介して、指定情報が表す始点から楽曲情報が再生される。指定情報が表す始点から、楽曲情報が再生されるとステップｂ８に進む。
【００４４】
ステップｂ８では、本体制御部５が、再生されている楽曲情報の指定情報が表す終点まで再生されたか否かが判定される。この判定は、再生されている楽曲情報が、指定情報が表す終点まで再生されたか否かの判定によって達成される。本体制御部５が、指定定情報が表す終点まで再生されたと判定するまでステップｂ８の動作を繰返し実行し、指定情報が表す終点まで再生されたと判定されると、本体制御部５は、再生されている楽曲情報の再生を停止するように復号部７を制御し、復号部７によって楽曲情報の復号化の動作が停止されると楽曲情報の再生が停止され、ステップｂ５に進む。ステップｂ５では、本体制御部５が、記録部８に記録される指定情報に、次の楽曲情報の指定情報があるか否かを判定する。ここで次の楽曲情報の指定情報とは、記録部８に記録される指定情報の中で、ステップｂ７で再生された楽曲情報に対応する識別番号の次に小さい識別番号に対応する楽曲情報の指定情報を示す。次の楽曲情報の指定情報がないと判定するまで、本体制御部５は、ステップｂ５、ステップｂ６、ステップｂ７、ステップｂ８の動作を繰返し、ステップｂ５で、次の楽曲情報の指定情報がないと判定すると、ステップｂ９に進む。ステップｂ９では、本体制御部５は、ハードディスクに記録される各楽曲情報における代表部分を、指定情報が表す始点から終点まで再生するように制御する本体制御部５の動作を停止し、ハードディスクに記録される各楽曲情報における代表部分を、指定情報が表す始点から終点まで再生する動作を終了する。
【００４５】
図６は、図５に示すフローチャートに基づいて、各楽曲情報における代表部分を、指定情報が表す始点から終点まで再生する動作を簡略化して示すタイムチャートである。本体制御部５によって、最初の楽曲情報、換言すると、トラックナンバとも呼ばれる識別番号の値が１に対応する楽曲情報の指定情報が表す始点が検索され、最初の楽曲情報が、始点から終点まで再生される。最初の楽曲情報が始点から終点まで再生されると、次の楽曲情報、換言すると、識別番号の値が２に対応する楽曲情報の指定情報が表す始点が検索され、次の楽曲情報が、指定情報が表す始点から終点まで再生される。次の楽曲情報が存在するまで、この動作が繰返されることによって、楽曲情報における代表部分を順次的に抽出して、再生することができる。
【００４６】
図７は、代表部分の始点および終点を表す指定情報を、記録媒体であるハードディスクに記録するように制御する再生制御手段である本体制御部５の動作を示すフローチャートである。代表部分の始点および終点を表す指定情報を、ハードディスクに記録するように制御する本体制御部５の動作は、各楽曲情報が再生開始された状態で開始される。ステップｃ１では、操作者によって操作部６が操作され、本体制御部５が、代表部分の始点を表す指定情報を記録する指示を表す情報が入力されたか否かを判定する。この判定は、代表部分の始点を表す指定情報として記録部８に記録させたい楽曲情報が再生された時に、操作者によって操作部６が操作され、本体制御部５によって、代表部分の始点を表す指定情報を記録する指示を表す情報が入力されたか否かが判定されることによって達成される。本体制御部５が、操作者によって操作部６が操作され、代表部分の始点を表す指定情報を記録する指示を表す情報が入力されたと判定するまで、ステップｃ１の動作を繰返し実行し、操作者によって操作部６が操作され、代表部分の始点を表す指定情報を記録する指示を表す情報が入力されたと判定すると、ステップｃ２に進む。ステップｃ２では、本体制御部５が、操作部６が操作された時に再生されていた楽曲情報の位置情報を、代表部分の始点を表す指定情報として、記録部８に記録させる。具体的には、本体制御部５が、操作者によって操作部６が操作され、代表部分の始点を表す指定情報を取得する指示を表す情報が入力されたと判定すると、操作部６が操作された時に再生されていた楽曲情報の位置情報を代表部分の始点を表す指定情報として記録部８に記録するように記録部８に制御指示を与える。その制御指示に基づいて、記録部８によって、操作部６が操作された時に再生されていた楽曲情報の位置情報が、代表部分の始点を表す指定情報として記録される。記録部８に記録されると、ステップｃ３に進む。
【００４７】
ステップｃ３では、操作者によって操作部６が操作され、本体制御部５が、代表部分の終点を表す指定情報を記録する指示を表す情報が入力されたか否かを判定する。この判定は、代表部分の終点を表す指定情報として記録部８に記録させたい楽曲情報が再生された時に、操作者によって操作部６が操作され、本体制御部５によって、代表部分の終点を表す指定情報を取得する指示を表す情報が入力されたか否かが判定されることによって達成される。本体制御部５が、操作者によって操作部６が操作され、代表部分の終点を表す指定情報を取得する指示を表す情報が入力されたと判定するまで、ステップｃ３の動作を繰返し実行し、操作者によって操作部６が操作され、代表部分の終点を表す指定情報を取得する指示を表す情報が入力されたと判定すると、ステップｃ４に進む。ステップｃ４では、本体制御部５が、操作部６が操作された時に再生されていた楽曲情報の位置情報を、代表部分の終点を表す指定情報として、記録部８に記録させる。具体的には、本体制御部５が、操作者によって操作部６が操作され、代表部分の終点を表す指定情報を取得する指示を表す情報が入力されたと判定すると、操作部６が操作された時に再生されていた楽曲情報の位置情報を代表部分の終点を表す指定情報として記録部８に記録するように記録部８に制御指示を与える。その制御指示に基づいて、記録部８によって、操作部６が操作された時に再生されていた楽曲情報の位置情報が、代表部分の終点を表す指定情報として記録される。代表部分の始点および終点を表す指定情報は、表３に示されるアドレス情報または表４に示される時間情報として、記録部８に記録される。記録部８に記録されると、ステップｃ５に進む。ステップｃ５では、本体制御部５が、ステップｃ２およびステップｃ４において、記録部８に記録された代表部分の始点および終点を表す指定情報を、ハードディスクに記録させる。具体的には、本体制御部５は、記録部８に記録された代表部分の始点および終点を表す指定情報を読出し、ハードディスクに記録するように、記録媒体制御部２に制御指示を与える。その制御指示に基づいて、記録媒体制御部２によって、代表部分の始点および終点を表す指定情報が、ハードディスクに記録される。既に各楽曲情報の代表部分の始点および終点を表す指定情報がハードディスクに記録されている場合には、既に記録されている代表部分の始点および終点を表す指定情報が、ステップｃ２で記録部８に記録された代表部分の始点を表す指定情報およびステップｃ２で記録部８に記録された代表部分の終点を表す指定情報に置換えられて、ハードディスクに記録される。代表部分の始点および終点を表す指定情報が、ハードディスクに記録されると、代表部分の始点および終点を表す指定情報を、ハードディスクに記録するに制御する本体制御部５の動作は終了する。
【００４８】
本実施の形態によれば、再生装置１１には、各楽曲情報における代表部分を指定する指定情報を記録する記録部８が設けられており、本体制御部５によって、記録部８に記録される指定情報に基づいて、各楽曲情報における代表部分を順次的に抽出して再生するように、復号部７を制御することができる。これによって記録媒体に記録される複数の楽曲情報の代表部分を順次的に抽出して再生することができるので、操作者が良く知っている部分を視聴することができ、各楽曲情報を明確に把握することができる。したがって操作者は、視聴したい楽曲情報を探し出すことができ、利便性の高い再生装置を実現することができる。
【００４９】
また記録部８によって、楽曲情報における代表部分を表す指定情報を、記録媒体におけるアドレスを示すアドレス情報として記録させることができる。したがって代表部分が、記録媒体上の絶対位置として記録されるので、代表部分を表す指定情報が表す位置を迅速に検索することができる。
【００５０】
また記録部８によって、楽曲情報における代表部分を表す指定情報を、楽曲情報を最初から再生する場合に代表部分の予め定める点まで再生するのに要する時間を示す時間情報として記録させることができる。したがって記録媒体の最適化処理の実行などによって楽曲情報が記録されている記録媒体上の物理的位置が変更になった場合も、それに応じて楽曲情報における代表部分を表す指定情報を再構築する必要がない。
【００５１】
また記録部８に記録される代表部分の始点を表す指定情報に基づいて、本体制御部５によって、指定情報が表す始点から一定時間、各楽曲情報の代表部分を再生するように復号部７を制御することができる。これによって、代表部分の始点から一定時間、複数の楽曲情報の代表部分を順次的に抽出して再生することができるので、操作者が良く知っている部分を視聴することができ、各楽曲情報を明確に把握することができる。したがって操作者は、視聴したい楽曲情報を探し出すことができ、利便性の高い再生装置を実現することができる。
【００５２】
また記録部８に記録される代表部分の始点および終点を表す指定情報に基づいて、本体制御部５によって、指定情報が表す始点から終点まで、各楽曲情報の代表部分を再生するように復号部７を制御することができる。これによって代表部分の始点から終点まで、複数の楽曲情報の代表部分を順次的に抽出して再生することができるので、操作者が良く知っている部分を視聴することができ、各楽曲情報を明確に把握することができる。したがって操作者は、視聴したい楽曲情報を探し出すことができ、利便性の高い再生装置を実現することができる。
【００５３】
また再生装置１１では、操作者が楽曲情報の代表部分を指定し、再生することができるので、いわゆる「さび」と呼ばれるような楽曲情報の代表部分または操作者が気に入っている部分を記録媒体に記録して、さび特集またはお気に入り特集として楽曲情報を再生する事ができる。
【００５４】
前述の実施の形態は、本発明の例示に過ぎず、構成を変更することができる。たとえば本実施の形態では、再生装置１１は、楽曲情報に対応する識別番号の値が小さい順に、楽曲情報の代表部分を順次抽出して再生するように構成されているが、本体制御部５によってランダムに再生するように構成されていてもよい。また再生装置１１には、代表部分の再生から、楽曲情報全体の再生に切替えることができよう構成されても良い。たとえば図２および図７における各楽曲情報における代表部分を再生している途中に、その再生されている楽曲情報が、操作者が探していた楽曲情報である場合またはその楽曲情報の全体を視聴したい場合などにおいて、再生装置１１は、操作者の操作部６の操作によって、その楽曲情報を、代表部分の再生の途中から最後まで視聴する事もできるよう構成されても良いし、その楽曲情報の先頭から視聴することもできるよう構成されてもよい。代表部分の再生の途中から最後まで視聴するまたはその楽曲情報の先頭から視聴するかは、予め操作者によって設定することもできる。具体的には、操作者によって操作部６が操作されることによって、たとえば０．５秒未満の時間、操作部６が押圧された場合は、再生装置１１は、楽曲情報を代表部分の再生の途中から再生を続けるよう構成され、また０．５秒以上の時間、操作部６が押圧された場合は、再生装置１１は、その楽曲情報の先頭から再生するように構成されても良い。また、ハードディスクに記録される楽曲情報に代えて、映像を表す映像情報、たとえば動画を表す情報であってもよいし、映像情報と楽曲情報とが対応付けられている視聴情報であってもよい。
【００５５】
また図６および図１１において、指定情報が表す始点および終点は、記録部８に記録する構成でなくてもよく、記録媒体であるハードディスクに直接記録する構成であってもよい。また本実施の再生装置１１は、ポータブルオーディオ機器およびカーステレオなどの機器に用いることができる。さらに記録媒体として、コンパクトディスク（Compact
Disk；略称ＣＤ）、ミニディスク（Mini Disk；略称ＭＤ）、デジタルバーサタイルディスク（Digital Versatile Disk；略称ＤＶＤ）を用いてもよい。
【図面の簡単な説明】
【００５６】
【図１】本発明の実施の一形態である再生装置１１を示すブロック図である。
【図２】記録媒体であるハードディスクに記録される各楽曲情報における代表部分を、指定情報が表す始点から一定時間再生するように制御する再生制御手段である本体制御部５の動作を示すフローチャートである。
【図３】図２に示すフローチャートに基づいて、各楽曲情報における代表部分を、指定情報が表す始点から一定時間再生する動作を簡略化して示すタイムチャートである。
【図４】代表部分の始点を表す指定情報を、記録媒体であるハードディスクに記録するように制御する再生制御手段である本体制御部５の動作を示すフローチャートである
【図５】記録媒体であるハードディスクに記録される各楽曲情報における代表部分を、指定情報が表す始点から終点まで再生するように制御する再生制御手段である本体制御部５の動作を示すフローチャートである。
【図６】図５に示すフローチャートに基づいて、各楽曲情報における代表部分を、指定情報が表す始点から終点まで再生する動作を簡略化して示すタイムチャートである。
【図７】代表部分の始点および終点を表す指定情報を、記録媒体であるハードディスクに記録するように制御する再生制御手段である本体制御部５の動作を示すフローチャートである。
【符号の説明】
【００５７】
１  読出／書込部
２  記録媒体制御部
３  インターフェース
４  接続部
５  本体制御部
６  操作部
７  復号部
８  記録部
９  Ｄ／Ａ変換部
１０  出力部
１１  再生装置
【図１】
2006202437.tif 000007
【図２】
2006202437.tif 000008
【図３】
2006202437.tif 000009
【図４】
2006202437.tif 000010
【図５】
2006202437.tif 000011
【図６】
2006202437.tif 000012
【図７】
2006202437.tif 000013